Podtech/llm-jp-corpus-v4-ja_patent huggingface dataset:
【手続補正書】
【提出日】平成22年2月3日(2010.2.3)
【手続補正１】
【補正対象書類名】特許請求の範囲
【補正対象項目名】全文
【補正方法】変更
【補正の内容】
【特許請求の範囲】
【請求項１】
皮膚の美容的処置方法であって、
物質を該皮膚に塗布して、該皮膚の美容的外観を改善する工程；および
ガルヴァーニ電流を所定の時間にわたって該皮膚に印加する工程；
を包み、該皮膚への該物質の輸送または吸収が、該ガルヴァーニ電流を停止した後の一定の期間にわたって増強される、方法。
【請求項２】
前記皮膚への前記物質の輸送または吸収が、
（i）前記ガルヴァーニ電流を停止した直後から該ガルヴァーニ電流を停止した約４８時間後まで、
（ii）前記ガルヴァーニ電流を停止した５分後から該ガルヴァーニ電流を停止した約３６時間後まで、
（iii）前記ガルヴァーニ電流を停止した１０分後から該ガルヴァーニ電流を停止した約２４時間後まで、
（iv）前記ガルヴァーニ電流を停止した３０分後から該ガルヴァーニ電流を停止した約２４時間後まで、
（v）前記ガルヴァーニ電流を停止した１時間後から該ガルヴァーニ電流を停止した約２４時間後まで、または
（vi）前記ガルヴァーニ電流を停止した３時間後から該ガルヴァーニ電流を停止した約２４時間後まで
の範囲の期間にわたって増強される、請求項１に記載の美容的処置方法。
【請求項３】
前記物質が、
（i）前記ガルヴァーニ電流の前に塗布されるか、
（ii）前記ガルヴァーニ電流の印加の後に塗布されるか、あるいは
（iii）前記物質および前記ガルヴァーニ電流が、実質的に同時に適要される、
請求項１または２に記載の美容的処置方法。
【請求項４】
前記ガルヴァーニ電流を停止した後の所定の期間にわたって前記物質に前記皮膚との接触を維持させる工程をさらに包む、請求項１〜３のいずれか１項に記載の美容的処置方法。
【請求項５】
前記物質の、前記皮膚の美容的外観を改善することにおける有利な効果が、増強される、請求項１〜４のいずれか１項に記載の美容的処置方法。
【請求項６】
電流によって生物学的表面を処置する方法であって、
物質を該表面に塗布する工程；
少なくとも約０．６ｍＡｍｐ−分〜約５．０ｍＡｍｐ−分の電流を所定の時間にわたって該表面に印加する工程；および
該電流を停止した後の所定の期間にわたって該物質に該皮膚との接触を維持させる工程；
を包含し、該物質の該表面への輸送または吸収が、該電流を停止した後の期間にわたって増強される、方法。
【請求項７】
前記皮膚への前記物質の輸送または吸収が、
（i）前記電流を停止した直後から該電流を停止した約４８時間後まで、または
（ii）前記電流を停止した５分後から該電流を停止した約２４時間後まで
の範囲の期間にわたって増強される、請求項６に記載の方法。
【請求項８】
細胞膜サンプルに対する電流の印加を試験するデバイスであって、該デバイスが、
（ａ）前記細胞膜サンプル用のホルダを備えるフランツセル；
（ｂ）該フランツセルに作動可能に接続された陽極；
（ｃ）該フランツセルに作動可能に接続された陰極であって、前記細胞膜サンプルの表面と接触可能な陰極；ならびに
（ｄ）該陽極および該陰極に作動可能に接続された電流印加デバイス；
を備える、デバイス。
【請求項９】
組織の処置領域に対する、皮膚の美容的外観を改善するための物質、あるいは診断に関連する物質の送達を増大させる方法であって、
少なくとも１つの物質を、細胞膜に対する電流の印加を試験するデバイスで試験する工程であって、該デバイスが、フランツセル、及び前記細胞膜に浸透した前記物質を回収し測定するための容器を備える、前記工程；
物質を選択する工程であって、前記細胞膜を通る該物質の浸透が、該電流を印加した後の一定の期間にわたって増強される、前記工程；
電流を、該電流がもはや印加されなくなった後に該組織の処置領域への該物質の輸送または吸収を増強させるために十分なレベルおよび極性ならびに持続時間で、該組織の処置領域に印加する工程；ならびに
該物質を該組織の処置領域上に配置し、そして該電流がもはや印加されなくなった後において該物質を該処置領域と接触したままにしておく工程；
を包む、方法。
【請求項１０】
前記組織の処置領域に電流を印加する工程が、前記物質の活性分子の正味電荷と実質的に同じである極性を有する電流を印加する工程を包む、請求項９に記載の方法。
【請求項１１】
前記組織の処置領域に電流を印加する工程が、少なくとも約２ｍＡｍｐ−分の電流を印加する工程を包むか、あるいは
前記組織の処置領域に電流を印加する工程が、少なくとも１サイクルにおいて少なくとも約２ｍＡｍｐ−分の電流を印加する工程を包む、請求項９または１０に記載の方法。
【請求項１２】
前記物質を配置する工程が、液体、ゲル、軟膏、粉末、ローション、フォーム、溶液、およびクリームからなる群より選択される物質を配置する工程を包む、請求項９〜１１のいずれか１項に記載の方法；または
前記物質を前記皮膚に塗布する工程が、液体、ゲル、軟膏、粉末、ローション、フォーム、溶液、およびクリームからなる群より選択される物質を塗布する工程を包む、請求項１〜５のいずれか１項に記載の美容的処置方法。
【請求項１３】
前記物質を配置する工程が、カフェイン、アミノフィリン、テオブロミン、ニコチン酸エチル、エルゴチオネイン、またはこれらの組合せの少なくとも１種を含む物質を配置する工程を包む、請求項９〜１２のいずれか１項に記載の方法；または
前記物質を前記皮膚に塗布する工程が、カフェイン、アミノフィリン、テオブロミン、ニコチン酸エチル、エルゴチオネイン、またはこれらの組合せの少なくとも１種を含む物質を塗布する工程を包む、請求項１〜５のいずれか１項に記載の美容的処置方法。
【請求項１４】
前記組織の処置領域に電流を印加する工程が、該組織中にセルライトを有する領域に電流を印加する工程を包む、請求項１〜５のいずれか１項に記載の美容的処置方法、または請求項９〜１３のいずれか１項に記載の方法。
【請求項１５】
前記組織の処置領域に電流を印加する工程が、該組織中にセルライトを有する領域に電流を印加する工程を包み、前記物質を配置する工程が、セルライト除去を支援する物質を配置する工程を包む、請求項１〜５のいずれか１項に記載の美容的処置方法、または請求項９〜１４のいずれか１項に記載の方法。
【請求項１６】
前記物質が、しわまたは線、色調異常、発赤、刺激された皮膚、脂性肌、およびざ瘡からなる群より選択される状態を処置する、あるいは、前記物質が、皮膚の剥脱を支援する、請求項１〜５のいずれか１項に記載の美容的処置方法、または請求項９〜１５のいずれか１項に記載の方法。
【請求項１７】
前記物質が、正味の負電荷または正味の正電荷を有する、請求項１〜５のいずれか１項に記載の美容的処置方法、または請求項９〜１６のいずれか１項に記載の方法。
【手続補正書】
【提出日】平成22年2月9日(2010.2.9)
【手続補正１】
【補正対象書類名】特許請求の範囲
【補正対象項目名】全文
【補正方法】変更
【補正の内容】
【特許請求の範囲】
【請求項１】
プロテイナーゼ活性化受容体−２（ＰＡＲ−２）に結合し、そしてそのタンパク質分解的活性化をアンタゴナイズする、単離抗原結合性タンパク質。
【請求項２】
全長ＰＡＲ−２に結合し、そしてより少ない度合いで、切断されたＰＡＲ−２に結合する、単離抗原結合性タンパク質。
【請求項３】
非ヒト霊長類、カニクイザル（ｃｙｎｏｍｏｌｇｏｕｓ  ｍｏｎｋｅｙ）、チンパンジー（ｃｈｉｍｐａｎｚｅｅ）、非霊長類哺乳動物、げっ歯類、マウス、ラット、ハムスター（ｈａｍｓｔｅｒ）、モルモット（ｇｕｉｎｅａ  ｐｉｇ）、ネコ、またはイヌのＰＡＲ−２に特異的に結合する、請求項１または請求項２の単離抗原結合性タンパク質。
【請求項４】
ａ．  ヒト抗体；
ｂ．  ヒト化抗体；
ｃ．  キメラ抗体；
ｄ．  モノクローナル抗体；
ｅ．  単一特異性抗体；
ｆ．  組換え抗体；
ｇ．  抗原結合性抗体断片；
ｈ．  一本鎖抗体；
ｉ．  ディアボディ；
ｊ．  トリアボディ；
ｋ．  テトラボディ；
ｌ．  Ｆａｂ断片；
ｍ．  Ｆ（ａｂ’）２断片；
ｎ．  ドメイン抗体；
ｏ．  ＩｇＤ抗体；
ｐ．  ＩｇＥ抗体；
ｑ．  ＩｇＭ抗体；
ｒ．  ＩｇＧ１抗体；
ｓ．  ＩｇＧ２抗体；
ｔ．  ＩｇＧ３抗体；
ｕ．  ＩｇＧ４抗体；または
ｖ．  Ｈ鎖内ジスルフィド結合を形成する傾向を軽減する、ヒンジ領域中の少なくとも１つの突然変異を有するＩｇＧ４抗体
を含む、請求項１または請求項２の単離抗原結合性タンパク質。
【請求項５】
ハイブリドーマである、請求項１または請求項２の抗原結合性タンパク質を分泌する単離細胞。
【請求項６】
ＰＡＲ−２に結合する抗原結合性タンパク質を作製する方法であって、抗原結合性タンパク質を発現することを可能にする条件下で、請求項５の単離細胞をインキュベーションする工程を含む、前記方法。
【請求項７】
請求項１または２の抗原結合性タンパク質を含む、薬学的組成物。
【請求項８】
被験体における状態を治療するための請求項７に記載の薬学的組成物であって、該状態が、該被験体において、ＰＡＲ−２活性を減少させることによって治療可能である、前記薬学的組成物。
【請求項９】
被験体がヒトである、請求項８の薬学的組成物。
【請求項１０】
前記状態が、皮膚、関節、胃腸系および／または気道の炎症状態からなる群より選択される、請求項９の薬学的組成物。
【請求項１１】
被験体においてＰＡＲ−２活性を減少させるための請求項７に記載の薬学的組成物。
【請求項１２】
被験体においてＰＡＲ−２シグナル伝達を減少させるための請求項７に記載の薬学的組成物。
【手続補正２】
【補正対象書類名】明細書
【補正対象項目名】０１５６
【補正方法】変更
【補正の内容】
【０１５６】
【図１】図１は、多様なＰＡＲ−２発現細胞を用いた、ＦＬＩＰＲアッセイにおいて、ＰＡＲ−２抗体がＰＡＲ−２活性化をアンタゴナイズする能力を示す。
【図２】図２は、切り取りＰＡＲ−２／Ｆｃに対して、全長ＰＡＲ−２／Ｆｃへの多様なＰＡＲ−２抗体の結合を比較するウェスタンブロットを提供する。
【図３】図３は、アンタゴナイズ性ＰＡＲ−２抗体、ならびにＰＡＲ−２をアンタゴナイズしない抗体に関する、ウェスタンブロット結果を示す。
【図４】図４は、ＦＬＩＰＲアッセイにおいて、いくつかのＰＡＲ−２抗体がＰＡＲ−２活性化をアンタゴナイズする能力を比較する。
【手続補正書】
【提出日】平成22年2月9日(2010.2.9)
【手続補正１】
【補正対象書類名】特許請求の範囲
【補正対象項目名】全文
【補正方法】変更
【補正の内容】
【特許請求の範囲】
【請求項１】
構成的に非リン酸化状態のホスファターゼインヒビター−１プロテインであって、当該構成的に非リン酸化状態のホスファターゼインヒビター−１プロテインが、配列番号５若しくは６で示されるアミノ酸配列、又はその６７位若しくは７５位又はその両方の少なくとも１つのアミノ酸の位置を保持するものであり、特定の残基のリン酸化可能な水酸基を除去又は置換するような変異も含む断片を含有してなる単離されたポリペプチド。
【請求項２】
構成的に非リン酸化状態のホスファターゼインヒビター−１プロテインが、６７位でアラニン（Ａ）、アスパラギン酸（Ｄ）若しくはシステイン（Ｃ）、又は７５位でアラニン（Ａ）、アスパラギン酸（Ｄ）若しくはシステイン（Ｃ）である、請求項１に記載の単離されたポリペプチド。
【請求項３】
７５位のアミノ酸が構成的に非リン酸化状態のアミノ酸である、構成的に非リン酸化状態のホスファターゼインヒビター−１プロテインをコードする単離された核酸分子であって、当該構成的に非リン酸化状態のホスファターゼインヒビター−１プロテインが、配列番号５若しくは６で示されるアミノ酸配列、又はその６７位若しくは７５位又はその両方の少なくとも１つのアミノ酸の位置を保持するものであり、特定の残基のリン酸化可能な水酸基を除去又は置換するような変異も含む断片、又は前記アミノ酸配列と少なくとも９０％の同一性を有するアミノ酸配列である構成的に非リン酸化状態のホスファターゼインヒビター−１プロテインをコードする単離された核酸分子。
【請求項４】
配列番号３又は４で示されるヌクレオチド配列を含有してなる核酸分子、及び配列番号３又は４で示されるヌクレオチド配列と少なくとも９０％の同一性を有する核酸分子からなる群より選択される、請求項３に記載の単離された核酸分子。
【請求項５】
構成的に非リン酸化状態のホスファターゼインヒビター−１プロテインが、６７位でアラニン（Ａ）、アスパラギン酸（Ｄ）若しくはシステイン（Ｃ）、又は７５位でアラニン（Ａ）、アスパラギン酸（Ｄ）若しくはシステイン（Ｃ）である、請求項３又は４に記載の単離された核酸分子。
【請求項６】
請求項３から５のいずれかに記載の単離された核酸分子を含有してなる組換えベクター。
【請求項７】
請求項１若しくは２に記載の単離されたポリペプチド、又は請求項３から５のいずれかに記載された単離された核酸分子、及び薬学的に許容される担体、賦形剤又は希釈剤を含有してなる医薬組成物。
【請求項８】
単離された核酸分子が、組換えレトロウイルス、アデノウイルス、アデノ随伴ウイルス、レンチウイルス及び単純ヘルペスウイルス１からなる群より選択されるウイルスベクター中に存在する、請求項７に記載の医薬組成物。
【請求項９】
医薬組成物が、心筋収縮性を低下させるため又は心不全の治療のためのものである、請求項７又は８に記載の医薬組成物。
【請求項１０】
医薬組成物が、心筋の短縮、弛緩の時定数の減少、及びカルシウムシグナルの減衰の促進並びにこれらの組み合わせからなる群より選択される状態の改善；心筋の収縮末期圧−径関係の改善；又は、心不全の他に、虚血、不整脈、心筋梗塞、心収縮異常及びＣａ２＋代謝異常並びにそれらの組み合わせからなる群より選択される疾患の状態の改善のためのものである、請求項７から９のいずれかに記載の医薬組成物。
【請求項１１】
請求項１又は２に記載の単離されたポリペプチドに対する抗体。
【請求項１２】
請求項１１に記載の抗体を含有してなる診断用試薬。
【手続補正書】
【提出日】平成22年2月9日(2010.2.9)
【手続補正１】
【補正対象書類名】明細書
【補正対象項目名】００１７
【補正方法】変更
【補正の内容】
【００１７】
設定課題の解決は、本発明にもとづき架橋され（vernetzt）たコラーゲンマトリックスに埋込まれたリン酸カルシウム粒子（複数）の混合物から骨代用材料を製造することによって達成される。特に、本発明の一視点において、異なる相（複数）のリン酸カルシウム粒子とコラーゲンを含んで構成される吸収性骨代用材料において、コラーゲンが、置換されたポリヒドロキシ芳香族化合物およびラッカーゼによって完全にまたは部分的に架橋されたマトリックスとして構成されていることを特徴とする吸収性骨代用材料を製造することによって達成される。（形態１）
【手続補正２】
【補正対象書類名】明細書
【補正対象項目名】００１８
【補正方法】変更
【補正の内容】
【００１８】
特に、ラッカーゼ誘導のペプチド架橋および適切な橋架け分子によって、コラーゲン架橋を達成する。
以下に本発明の好意な形態について述べる。
（形態２）上記吸収性骨代用材料において、ポリヒドロキシ芳香族化合物が、単環式ジヒドロキシ芳香族化合物、二環式ジヒドロキシ芳香族化合物、多環式ジヒドロキシ芳香族化合物、二環式トリヒドロキシ芳香族化合物または多環式トリヒドロキシ芳香族化合物を含むグループから選択されることが好ましい。
（形態３）また、上記吸収性骨代用材料において、置換されたポリヒドロキシ芳香族化合物が、１１０〜１１００ｇ／ｍｏｌの分子量を有することが好ましい。
（形態４）また、上記吸収性骨代用材料において、ポリヒドロキシ芳香族化合物が、２，５−ジヒドロキシ−Ｎ−（２−ヒドロキシエチル）ベンズアミドであることが好ましい。
（形態５）また、上記骨代用材料において、骨代用材料が、相互に連通気孔の多孔質体を形成することが好ましい。
（形態６）また、上記骨代用材料において、コラーゲンマトリックスが、更に、ＳｉＯ2ゲルを含むことが好ましい。
（形態７）また、上記骨代用材料において、相互に連通気孔の多孔質ボデーが、ボデーの内表面が、位置的に規定されて架橋されたコラーゲンによって著しく被われるよう、構成されていることが好ましい。
（形態８）また、上記骨代用材料において、異なる材料成分（複数）が、不規則な順序または規則的な順序で配列されていることが好ましい。
（形態９）また、上記骨代用材料において、該骨代用材料が、成形体として構成されていることが好ましい。
（形態１０）また、上記骨代用材料において、該骨代用材料が、内部支持構造を有することが好ましい。
（形態１１）また、上記骨代用材料において、支持構造が、金属、好ましくは、チタンからなることが好ましい。
（形態１２）また、上記骨代用材料において、支持構造が、吸収性金属からなることが好ましい。
（形態１３）また、上記骨代用材料において、支持構造が、吸収性有機材料からなることが好ましい。
（形態１４）また、上記骨代用材料において、骨代用材料の外表面および／または内表面に、作用物質が担持されていることが好ましい。
（形態１５）また、上記骨代用材料において、作用物質が、容積内に導入され、材料の吸収によって始めて遊離されることが好ましい。
【手続補正書】
【提出日】平成22年10月28日(2010.10.28)
【手続補正１】
【補正対象書類名】明細書
【補正対象項目名】００３２
【補正方法】変更
【補正の内容】
【００３２】
図６は、図４と基本的に同一の負圧アダプタ２２を反対側からみた図である。図示された部品は構造的に図４と同一であり、連結具が横方向（及び広がり、放射状）に対称であることを示している。そうではないことが指示されない限り、本発明の改良された連結具を構成する材料は、必要なフレキシビリティと患者に対する快適さを提供しつつ負圧アダプタ機能と一体型で開いた管腔を維持するために十分な剛性又は弾性を有する技術的に公知の様々な材料から選択されてもよい。
【手続補正２】
【補正対象書類名】明細書
【補正対象項目名】００３４
【補正方法】変更
【補正の内容】
【００３４】
図８は、本発明の負圧アダプタに付随する基部の代替の例示的な実施例を示す。この図（図７と同様の斜視図）は、代替の基部５２の下面に特性を付加して示している。基部５２の構造内に成形されたこれらの特性は、基部の鋸歯状のガイド用のチャネル７０と、周辺の収集チャネル７２と、中間の収集チャネル７４とを具える。これらのチャネルの目的は、液体を２つの測定用の補助ポート５６、５８から離して主ポート６０内へ向けることである。基部の鋸歯状のガイド用のチャネル７０は、基部５０上に配設され、負圧アダプタ内へ引き入れられた液体の少なくとも半分を直接的に捕捉して流し、この中に引き入れられた液体の残りの主な部分を間接的に流すように方向付いている。間隔を空けて放射状に並んだこの基部の鋸歯状のガイド用のチャネル７０は、液体を補助ポートから離して主ポート内へ集める。さらに、周辺の収集チャネル７２及び中間の収集チャネル７４は、放射状に配置されたガイド用のチャネル７０の間に引き入れられた液体の流れをガイド用のチャネル７０へ向けて補助ポートから離す。この流れ方向の例を太矢印で図８に示し、流れを示す。
【手続補正３】
【補正対象書類名】明細書
【補正対象項目名】００３８
【補正方法】変更
【補正の内容】
【００３８】
同様の構成が、およそ３分の１の円で放射状の鋸歯状のチャネル部分４４に形成されている。内部の導管が凹部領域５４のこの部分内に収容されていない限り、部分４４の鋸歯状のチャネルはより深く、より直接的に主ポート６０へ延在する。これらの放射状の鋸歯状のチャネルは、開口５４の周辺部から主ポート６０に排出する凹部領域５４の頂部へ方向付いている。これらの放射状の筋又はチャネルは、放射状の近接する補助ポート５８から、放射状で約３分の１の円周辺に、放射状の近接する補助ポート５６へ延在する。凹部領域５４のこの部分の上に落ちるどんな液体も、いずれかの補助ポートのに向けられずに、中央の主ポート６０へ向けられる。
【手続補正書】
【提出日】平成22年2月5日(2010.2.5)
【手続補正１】
【補正対象書類名】特許請求の範囲
【補正対象項目名】全文
【補正方法】変更
【補正の内容】
【特許請求の範囲】
【請求項１】
管状体と、
撮像装置と、
前記撮像装置を前記管状体に対して接続する形状記憶リンクと、
を備える撮像カテーテルアセンブリ。
【請求項２】
前記形状記憶リンクが２つの端部セグメントを含むＵ字状の自然形状を有し、前記端部セグメントのうちの一方が前記撮像装置に対して接続され、他方の端部セグメントが前記管状体に対して接続される請求項１に記載のアセンブリ。
【請求項３】
前記端部セグメントが互いに略平行である請求項２に記載のアセンブリ。
【請求項４】
前記形状記憶リンクが、前記形状記憶リンクを真っ直ぐに伸ばす力が除去された後にその自然形状に戻る請求項２に記載のアセンブリ。
【請求項５】
前記形状記憶リンクが、形状記憶要素と、前記撮像装置からの導電体を前記管状体内の導電体に対して接続する可撓性導電体とを含む請求項２に記載のアセンブリ。
【請求項６】
前記リンクが形状記憶要素と可撓性ＰＣＢとを含む請求項１に記載のアセンブリ。
【請求項７】
前記形状記憶要素および前記可撓性ＰＣＢが前記可撓性ＰＣＢの幅方向に並べて配置される請求項６に記載のアセンブリ。
【請求項８】
前記形状記憶要素と前記可撓性ＰＣＢとが互いに取り付けられる請求項７に記載のアセンブリ。
【請求項９】
前記形状記憶要素および前記可撓性ＰＣＢが積層構造を形成するために積み重ねられる請求項７に記載のアセンブリ。
【請求項１０】
前記可撓性ＰＣＢが、前記撮像装置からの導電体を前記管状体内の導電体に対して接続する導電体を含む請求項９に記載のアセンブリ。
【請求項１１】
光源を更に備え、前記光源が前記リンク上に配置される請求項７に記載のアセンブリ。
【請求項１２】
前記光源が前記リンクの湾曲部分上に配置される請求項１１に記載のアセンブリ。
【請求項１３】
端部を有する挿入チューブと、
撮像カテーテルアセンブリと、を備え、
前記撮像カテーテルアセンブリが、
管状体と、
撮像装置と、
前記撮像装置を前記管状体に対して接続する形状記憶リンクとを含む内視鏡アセンブリ。
【請求項１４】
内視鏡を構成する方法であって、
撮像カテーテルアセンブリの先端にあるＵ形状の可撓性形状記憶リンクを真っ直ぐに伸ばすステップと、
前記撮像カテーテルアセンブリの真っ直ぐに伸ばされた先端を内視鏡の挿入チューブのチャンネル内へと前記挿入チューブの基端から挿入するステップと、
前記可撓性リンクがその自然な曲げ形状に戻るように補助撮像装置４２および前記可撓性リンク４４が前記挿入チューブの先端から押し出されるまで、前記撮像カテーテルアセンブリを前記挿入チューブ内に更に押し込むステップと、を備える方法。
【手続補正書】
【提出日】平成22年2月5日(2010.2.5)
【手続補正１】
【補正対象書類名】特許請求の範囲
【補正対象項目名】全文
【補正方法】変更
【補正の内容】
【特許請求の範囲】
【請求項１】
流動可能な物質を押出し機の出口に押し通すことによって、連続する押出管を形成するステップと；
押出管を出口に押し通した後、連続する押出管の少なくとも一部分上にコーティングを付着させることによって、コーティングした管を形成するステップと；
コーティングを付着させた後にコーティングした管を所望の長さに切断する、ことによって、コーティングした管を形成するステップと；
約１５℃〜約３７５℃の範囲の温度でコーティングした管に１つまたは複数の二次操作を行うことによって、コーティングした医療器具を形成するステップと
を含む、コーティングした医療器具を生産する方法。
【請求項２】
コーティングを付着させる前に押出管を冷却するステップをさらに含む、請求項１に記載の方法。
【請求項３】
コーティングした管を切断する前にコーティングを硬化させるステップをさらに含む、請求項１又は２に記載の方法。
【請求項４】
コーティングが親水性コーティングである、請求項１乃至３のいずれか一項に記載の方法。
【請求項５】
コーティングの厚さが約１ミクロン〜１５０ミクロンの範囲である、請求項１乃至４のいずれか一項に記載の方法。
【請求項６】
医療器具が、診断用カテーテル、導尿用カテーテル、ガイドカテーテル、治療用カテーテル、誘導シース、血管ダイレーター、ステント、および気管切開管からなる群から選択される、請求項１乃至５のいずれか一項に記載の方法。
【手続補正２】
【補正対象書類名】明細書
【補正対象項目名】０００５
【補正方法】変更
【補正の内容】
【０００５】
慣習的に、カテーテルなどの医療器具にコーティングを塗布することには、いくつかの手間のかかる加工および取扱いステップが伴う。慣用の一プロセスでは、コーティングを塗布する前に連続長の押出管を１つまたは複数の管に切断し得る。それぞれの管は、コーティングを塗布する前にさらに形成または接合の操作を受け得る。コーティングプロセス中にコーティングが管の内腔すなわちルーメン内に浸透することを防ぐために、それぞれの管の末端内に栓を挿入し得る。それぞれの栓をした管を、コーティングを塗布するためにコーティングタンクに移すための固定具上に配置し得る。コーティングを塗布した後、それぞれの栓をした管を、固定具および栓を取り外すために別の場所に移し得る。さらに、取り外した栓は、生産に戻す前にコーティング残留物を排除するための洗浄プロセスを受け得る。それぞれの管から栓を挿入および取り外すこと、それぞれの管を固定具上に配置して取り外すこと、ならびに栓を洗浄することは、通常は手動で実施する。大容量製造環境では、毎月数十万個以上の管がそのような取扱いを必要とし得る。
【手続補正書】
【提出日】平成22年2月5日(2010.2.5)
【手続補正１】
【補正対象書類名】特許請求の範囲
【補正対象項目名】全文
【補正方法】変更
【補正の内容】
【特許請求の範囲】
【請求項１】
静止粉砕リングおよび回転可能なシュレッダプレートアセンブリを含む粉砕機構と、
回転可能なシュレッダプレートアセンブリを駆動するモータと、
粉砕機構内の導電性の異物の存在を検出する、粉砕機構に接続された検出器とを備え、
検出器が、静的粉砕リングと回転可能なシュレッダプレートアセンブリとの間で導電性の異物が電気回路を完成させていることを感知すると、粉砕機構内の導電性の異物の存在を検出する、生ごみ処理機システム。
【請求項２】
検出器が、静的粉砕リングと回転可能なシュレッダプレートとの間の電気的導通を感知すると、導電性の異物が静的粉砕リングと回転可能なシュレッダプレートとの間で電気回路を完成させていると感知する、請求項１に記載の装置。
【請求項３】
検出器が、静的粉砕リングと回転可能なシュレッダプレートとの間の短絡を感知すると、導電性の異物が静的粉砕リングと回転可能なシュレッダプレートとの間に電気回路を完成させていると感知する、請求項２に記載の装置。
【請求項４】
検出器が、静的粉砕リングに電気的に接続された第１端子と、回転可能なシュレッダプレートアセンブリに接続された第２端子とを有し、低電圧を、第１端子を通して静止粉砕リングに、または第２端子を通して回転可能なシュレッダプレートアセンブリに印加する、請求項１に記載の装置。
【請求項５】
静止粉砕リングおよび回転可能なシュレッダプレートアセンブリを含む粉砕機構と、
回転可能なシュレッダプレートアセンブリを駆動するモータと、
粉砕機構内の導電性の異物の存在を検出する、粉砕機構に接続された検出器とを備え、
検出器が、制御装置と、導電性の異物の存在を検出する検出回路とを含み、制御装置が、検出回路が粉砕機構内の導電性の異物の存在を検出することに反応して、モータの電源を断つ、生ごみ処理機システム。
【請求項６】
検出器とモータとに接続された制御装置を含み、
制御装置が、生ごみ処理機システムがオンされるとモータの電源を一時的に入れ、次いで、検出器が粉砕機構内の導電性の異物を検出しない場合はモータを全速力で作動するように電源を入れ、検出器が粉砕機構内の導電性の異物の存在を検出する場合はモータの電源を断つ、請求項１に記載の装置。
【請求項７】
生ごみ処理機システムがオンされると、制御装置が、検出器が粉砕機構内の導電性の異物の存在を検出していない場合にのみモータの電源を一時的に入れる、請求項６に記載の装置。
【請求項８】
検出器とモータとに接続された制御装置を含み、
生ごみ処理機システムがオンされると、制御装置が、検出器が粉砕機構内の導電性の異物の存在を検出していない場合にのみモータの電源を入れる、請求項１に記載の装置。
【請求項９】
静止粉砕リングおよび回転可能なシュレッダプレートアセンブリを含む粉砕機構と、
回転可能なシュレッダプレートアセンブリを駆動するモータと、
粉砕機構内の導電性の異物の存在を検出する、粉砕機構に接続された検出器とを備え、
検出器が、粉砕機構内の導電性の異物が、静的粉砕リングと回転可能なシュレッダプレートアセンブリとを電気的に接続し、モータの電源が断たれると、故障を検出する漏電検出器を含む、生ごみ処理機システム。
【請求項１０】
静止粉砕リングおよび回転可能なシュレッダプレートアセンブリを含む粉砕機構と、
回転可能なシュレッダプレートアセンブリを駆動するモータと、
粉砕機構内の導電性の異物の存在を検出する、粉砕機構に接続された検出器であって、静止粉砕リングと回転可能なシュレッダプレートアセンブリとの間に導電性の異物が電気回路を完成していることを感知すると、導電性の異物の存在を検出する検出器と、
使用者が、検出器を無効化するように作動させ、検出器が粉砕機構内の導電性の異物の存在を検出しても、モータの電源が断たれないようにすることができる無効化スイッチとを含む、生ごみ処理機システム。
【請求項１１】
粉砕機構を有した生ごみ処理機を操作する方法にして、粉砕機構が、静止粉砕リングと生ごみ処理機のモータによって駆動される回転可能なシュレッダプレートアセンブリとを有する方法であって、
静止粉砕リングと回転可能なシュレッダプレートとの間に電気回路が完成されているか否かを感知することと、
静止粉砕リングと回転可能なシュレッダプレートアセンブリとの間に電気回路が完成されていることを感知すると、粉砕機構内に導電性の異物が存在することを検出することとを備える、方法。
【請求項１２】
粉砕機構内に導電性の異物が存在することを検出すると、モータの電源を断つことを含む、請求項１１に記載の方法。
【請求項１３】
静止粉砕リングと回転可能なシュレッダプレートアセンブリとの間に電気的導通が存在することを感知すると、静止粉砕リングと回転可能なシュレッダプレートアセンブリとの間に電気回路が完成されていると感知することを含む、請求項１１に記載の方法。
【請求項１４】
静止粉砕リングと回転可能なシュレッダプレートアセンブリとの間に短絡が存在することを感知すると、静止粉砕リングと回転可能なシュレッダプレートアセンブリとの間に電気回路が完成されていると感知することを含む、請求項１３に記載の方法。
【請求項１５】
生ごみ処理機がオンされると一時的にモータの電源を入れて、モータの電源を入れた後に粉砕機構内に導電性の異物が存在するか否かを検出し、粉砕機構内に導電性の異物の存在が検出されない場合はモータを全速力で作動するように電源を入れ、粉砕機構内に導電性の異物の存在が検出される場合はモータの電源を断つことを含む、請求項１１に記載の方法。
【請求項１６】
生ごみ処理機がオンされると、粉砕機構内に導電性の異物が存在するか否かを検出し、生ごみ処理機がオンされる際に粉砕機構内に導電性の異物が検出されない場合にのみ、モータに一時的に電源を入れることを含む、請求項１５に記載の方法。
【請求項１７】
生ごみ処理機がオンされると、粉砕機構内に導電性の異物が存在するか否かを検出し、生ごみ処理機がオンされる際に粉砕機構内に導電性の異物が検出されない場合にのみ、モータに電源を入れることを含む、請求項１２に記載の方法。
【請求項１８】
粉砕機構内に導電性の異物が存在することが検出されてもモータの電源が入れられないように、使用者に作動可能なスイッチが作動する際に、モータの電源の切断を無効化することを含む、請求項１２に記載の方法。
【請求項１９】
粉砕機構内に導電性の異物の存在を検出すると指示器の電源を入れることを含む、請求項１１に記載の方法。
【手続補正書】
【提出日】平成21年12月17日(2009.12.17)
【手続補正１】
【補正対象書類名】特許請求の範囲
【補正対象項目名】全文
【補正方法】変更
【補正の内容】
【特許請求の範囲】
【請求項１】
排ガス用の入口端面および出口端面を有する平坦状および波状の金属薄板からのハニカム体を含有する、内燃機関の排ガスの浄化用触媒であって、その際、該金属薄板には、その熱容量を低下させるために穿孔が備え付けられており、かつ該金属薄板上には触媒材料が施与されており、その際、該金属薄板の孔が触媒材料で充填されている内燃機関の排ガスの浄化用触媒において、全ての孔の孔面積が合わせて金属薄板の面積の５〜８０％となることを特徴とする、内燃機関の排ガスの浄化用触媒。
【請求項２】
孔が、円形、楕円形、長円形、正方形、長方形、スリット形または多角形の断面を有することを特徴とする、請求項１記載の触媒。
【請求項３】
孔が、０．１ｍｍ２〜２５ｍｍ２の面積を有することを特徴とする、請求項２記載の触媒。
【請求項４】
孔が、金属薄板の全表面上にかまたは部分面上に設けられていることを特徴とする、請求項３記載の触媒。
【請求項５】
平坦状または波状の金属薄板または２つの金属薄板がエキスパンドメタルから形成されており、該エキスパンドメタルは、ひし形またはスリット形のメッシュを有する格子構造を持ち、その際、該メッシュは、ストランドおよび該ストランドによって取り囲まれた開口部とから成り、かつ該ストランドの交差点は連結点とされることを特徴とする、請求項１記載の触媒。
【請求項６】
エキスパンドメタルが、５〜８０％の間の引き伸ばし率の場合、連結中心点から連結中心点まで０．５〜５ｍｍのメッシュ長さを有することを特徴とする、請求項５記載の触媒。
【請求項７】
エキスパンドメタルのメッシュが、エキスパンドメタルの全表面上にかまたは部分面上に設けられていることを特徴とする、請求項５または６記載の触媒。
【請求項８】
触媒材料による負荷を５０〜４００ｇ／ハニカム体の体積１ｌの濃度で有することを特徴とする、請求項１記載の触媒。
【請求項９】
内燃機関の排ガス浄化用の、請求項１から８までのいずれか１項記載の触媒の使用。
【請求項１０】
触媒がスタート触媒としてかまたは床下触媒として自動車両において使用されることを特徴とする、請求項９記載の使用。
【請求項１１】
触媒が、エンジンが取り付けられた二輪車またはエンジンが取り付けられた船舶の排ガス浄化のために使用されることを特徴とする、請求項９記載の使用。
【手続補正２】
【補正対象書類名】明細書
【補正対象項目名】００３０
【補正方法】変更
【補正の内容】
【００３０】
本発明のより詳細な説明のために図１〜７が用いられる。図面は以下のものを示している：
図１〜４： 様々の孔の形状および孔の割合を有する、穿孔を施された薄板層の例：
図１： 直径０．８ｍｍを有する孔、孔面積：５０％
図２： 直径０．８ｍｍを有する孔、孔面積：２５％
図３： 長孔０．８×１．６ｍｍ、孔面積：６５％
図４： 長孔０．８×２．２ｍｍ、孔面積：４０％
図５： 触媒の改善された活性に関する例
図６： ａ）未被覆の状態における
ｂ）触媒コーティング後の
ハニカム体の形成のために用いた３０％の引き伸ばし率を有するエキスパンドメタルを撮影したもの
図７： 欧州の二輪車排ガステストサイクル(Motorradtestzyklus)における、穿孔を施されなかった薄板層からの通常のハニカム体と、エキスパンドメタルから製造された薄板層を有する本発明によるハニカム体との排ガス排出量の比較測定。
【手続補正３】
【補正対象書類名】図面
【補正対象項目名】図１
【補正方法】変更
【補正の内容】
【図１】
2009525856.tif 000001
【手続補正４】
【補正対象書類名】図面
【補正対象項目名】図２
【補正方法】変更
【補正の内容】
【図２】
2009525856.tif 000002
【手続補正５】
【補正対象書類名】図面
【補正対象項目名】図３
【補正方法】変更
【補正の内容】
【図３】
2009525856.tif 000003
【手続補正６】
【補正対象書類名】図面
【補正対象項目名】図４
【補正方法】変更
【補正の内容】
【図４】
2009525856.tif 000004
【手続補正書】
【提出日】平成22年2月5日(2010.2.5)
【手続補正１】
【補正対象書類名】特許請求の範囲
【補正対象項目名】全文
【補正方法】変更
【補正の内容】
【特許請求の範囲】
【請求項１】
撮像装置と、
光源と、
前記撮像装置および前記光源の少なくとも１つの前方に配置される偏光フィルタと、
を備える内視鏡アセンブリ。
【請求項２】
前記偏光フィルタが前記光源の前方に配置され、前記光源に対して取り付けられる請求項１に記載の内視鏡アセンブリ。
【請求項３】
キャップを更に備え、前記偏光フィルタが前記キャップ上に配置される請求項１に記載の内視鏡アセンブリ。
【請求項４】
端部を有する本体を更に備え、前記撮像装置および前記光源が前記本体の端部上に配置され、前記キャップが前記本体の端部上に装着される請求項３に記載の内視鏡アセンブリ。
【請求項５】
前記偏光フィルタが前記撮像装置の前方に配置される請求項１に記載の内視鏡アセンブリ。
【請求項６】
前記偏光フィルタが前記撮像装置に対して取り付けられる請求項５に記載の内視鏡アセンブリ。
【請求項７】
キャップを更に備え、前記偏光フィルタが前記キャップ上に配置される請求項５に記載の内視鏡アセンブリ。
【請求項８】
端部を有する本体を更に備え、前記撮像装置および前記光源が前記本体の端部上に配置され、前記キャップが前記本体の端部上に装着される請求項７に記載の内視鏡アセンブリ。
【請求項９】
前記偏光フィルタが前記撮像装置および前記光源の前方に配置される請求項１に記載の内視鏡アセンブリ。
【請求項１０】
キャップを更に備え、前記偏光フィルタが前記キャップ上に配置される請求項９に記載の内視鏡アセンブリ。
【請求項１１】
端部を有する本体を更に備え、前記撮像装置および前記光源が前記本体の端部上に配置される請求項１０に記載の内視鏡アセンブリ。
【請求項１２】
前記キャップが前記本体の端部上に装着される請求項１１に記載の内視鏡アセンブリ。
【請求項１３】
前記光源が、前記撮像装置の視野を照明するように位置される請求項９に記載の内視鏡アセンブリ。
【手続補正書】
【提出日】平成22年2月9日(2010.2.9)
【手続補正１】
【補正対象書類名】特許請求の範囲
【補正対象項目名】全文
【補正方法】変更
【補正の内容】
【特許請求の範囲】
【請求項１】
脊髄インプラント本体、および内部に埋め込まれかつインプラント本体から外に延在する支持部材を含むことを特徴とするインプラント。
【請求項２】
脊髄インプラント本体およびインプラントに付着した細長い可撓性のガイド部材からなることを特徴とするインプラント。
【請求項３】
液状ポリマーを用意し、
ポリマーを含む型を用意し、
支持部材を用意し、
液状ポリマーが支持部材を少なくとも部分的にカバーできるように該型に対して支持部材を配置し、そして
該支持部材の少なくとも一部がポリマーの周辺を越えて延在して、ポリマーの外に延在する内部に配置された支持部材を有する脊髄インプラントを形成するように液状ポリマーを凝固させることを特徴とするインプラントを製造する方法。
【手続補正書】
【提出日】平成22年1月20日(2010.1.20)
【手続補正１】
【補正対象書類名】特許請求の範囲
【補正対象項目名】全文
【補正方法】変更
【補正の内容】
【特許請求の範囲】
【請求項１】
組織の細胞内に処置物質を送達するため生体内の前記組織をエレクトロポレーションする装置であって、
ａ．互いに間隔を開け電気的に絶縁され互いに平行に位置する、チューブの外面に露出した少なくとも２つの細長い電極を備え、体組織に穿通することができる細長い送達チューブと、
ｂ．前記電極を各々電気エネルギー源に接続することができる電気コンジットとを備え、
ｃ．前記チューブを患者の組織に挿入し前記エネルギー源によって通電する時、前記電極が、細胞による前記物質の取り込みを可能にするように前記組織への前記チューブの挿入によって形成された進路に沿ったその近くの細胞を可逆的にポレーションするのに十分な前記チューブを取り囲む処置範囲内の前記細胞に電界を発生することができることを特徴とする装置。
【請求項２】
前記槽がシリンジを備える、請求項１に記載の装置。
【請求項３】
前記電気エネルギー発生源がエレクトロポレーションパルス発生器である、請求項１に記載の装置。
【請求項４】
前記発生器が、平均電圧が１〜２００Ｖの範囲内でもよい電気パルスを発生することができる、請求項３に記載の装置。
【請求項５】
前記発生器が、１ミリアンペア〜４００ミリアンペアの電流を有する電気パルスを発生することができる、請求項３に記載の装置。
【請求項６】
前記電流が、１０〜４０ミリアンペア、２５〜１００ミリアンペア、５０〜１５０ミリアンペア、１２５〜２００ミリアンペア、１７５〜２５０ミリアンペア、２２５〜３００ミリアンペア、２５０〜３００ミリアンペア、および３００〜４００ミリアンペアからなるグループから選択される範囲内である、請求項５に記載の装置。
【請求項７】
前記発生器が、１〜１０，０００Ｈｚからなるグループから選択される周波数を有する電気パルスを生成することができる、請求項４に記載の装置。
【請求項８】
前記発生器が、０．１μｓ〜１０００ｍｓからなるグループから選択される時間の長さを有する電気パルスを生成することができる、請求項４に記載の装置。
【請求項９】
前記チューブが、２０ゲージ、２１ゲージ、２２ゲージ、２３ゲージ、２４ゲージ、２５ゲージ、２６ゲージ、２７ゲージ、２８ゲージ、および２９ゲージからなるグループから選択される注射針ゲージのサイズの皮下注射針である、請求項１に記載の装置。
【請求項１０】
前記チューブが各電極から電気的に絶縁されている、請求項１に記載の装置。
【請求項１１】
組織の細胞内に処置物質を送達する装置であって、
近端と末端とを有する細長い軸を各々備え、前記近端で１ｍｍを越えない距離で互いに永続的な関係に固定された、体組織に穿通することができる少なくとも２つの平行な細長い電極を備え、前記装置がさらに、前記電極の長さにわたる各電極に接触する電気的に不活性な材料、および前記電極の長さにわたる前記電極の間の電気的に不活性でない材料からなるグループから選択される構成要素を有する装置。
【手続補正書】
【提出日】平成22年2月3日(2010.2.3)
【手続補正１】
【補正対象書類名】特許請求の範囲
【補正対象項目名】全文
【補正方法】変更
【補正の内容】
【特許請求の範囲】
【請求項１】
かさ歯車（３１）を保持するためのワークピース・スピンドル（２１）と、
ツール（２４）を保持するためのツール・スピンドル（４２）と、
シングル・インデックス法によってかさ歯車（３１）を機械加工するための複数の駆動部（Ｘ，Ｙ，Ｚ，Ｂ，Ｃ，Ａ１）とを有し、
上記かさ歯車（３１）の歯のすき間は、シングル・インデックス完成法において機械加工されたものである装置（２０）であって、
装置（２０）は、
インターフェース（１１，１２）を備えて、上記インターフェース（１１，１２）を介して計測システム（１０）に接続可能であることを特徴とし、
上記インターフェースは、装置（２０）で１つ以上のかさ歯車（３１）の大量生産が開始される前に、装置（２０）のメモリ（５１）に元から存在するマスターデータ又はニュートラルデータを補正値又は補正因子に基づいて適用できる形式で、装置（２０）が補正値又は補正因子を計測システム（１０）から取得できるように、設けられている
ことを特徴とする装置。
【請求項２】
ツール（２４）は、フライス盤のツールであって、好ましくは、ドライ・フライス盤のツールである
ことを特徴とする請求項１に記載の装置（２０）。
【請求項３】
ツール（２４）は、研削ツールであって、好ましくは、仕上げ加工した研削ディスクである
ことを特徴とする請求項１に記載の装置（２０）。
【請求項４】
閉じたループが、計測システム（１０）を用いて確立される
ことを特徴とする請求項１又は２に記載の装置（２０）。
【請求項５】
手順の少なくとも一部を自動実行し、それによって、複数のかさ歯車（３１）の大量生産を可能にするように設けられる
ことを特徴とする請求項１から４のいずれか１項に記載の装置（２０）。
【請求項６】
かさ歯車（３１）を保持するためのワークピース・スピンドル（２１）と、ツール（２４）を保持するためのツール・スピンドル（４２）と、シングル・インデックス完成法でツール（２４）を使用してかさ歯車（３１）を機械加工するための複数の駆動部（Ｘ，Ｙ，Ｚ，Ｂ，Ｃ，Ａ１）とを備える装置（２０）を用いる、インデックス誤差を補正したかさ歯車（３１）を生産するための方法であって、
大量生産されるかさ歯車（３１）の形状を表すマスター又はニュートラルデータと、必要な機械ツールの移動とを予め規定するステップと、
マスターデータ又はニュートラルデータに基づいて後続する機械加工を行うステップと、
ａ）機械加工の移動を実行することによって、ツール（２４）を用いてサンプル・ワークピースの歯のすき間を機械加工するステップと、
ｂ）ツール（２４）を歯のすき間から移動させるために、ツール（２４）とサンプル・ワークピースとの間を相対的に移動させるステップと、
ｃ）サンプル・ワークピースを他の角度方向に移動させるインデックス回転を実行するステップと、
ｄ）ツール（２４）を用いて、サンプル・ワークピースのすべての歯のすき間が加工されるまで、ステップａ）からステップｃ）を繰り返し実行することによって、サンプル・ワークピースの他の歯のすき間を機械加工するステップと、
サンプル・ワークピースを計測システム（１０）に移動させるステップと、
サンプル・ワークピースのすべての歯のインデックス誤差を確定するステップと、
サンプル・ワークピースの１つの歯又は歯のすき間を基準として用いて、歯毎又は歯のすき間毎の補正値又は補正因子を確定するステップと、
補正値又は補正因子を転送又は取得するステップと、
インデックス誤差を補正した少なくとも１つのかさ歯車の生産に備えて、補正値又は補正因子に基づいて装置（２０）の機械データ又はニュートラルデータを適用するステップと、
インデックス誤差を補正されたかさ歯車（３１）のすべての歯のすき間が加工されるまで繰り返されるステップａ）からｄ）を実行することによって適用された機械データを用いてインデックス誤差を補正した少なくとも１つのかさ歯車を生産するステップとを含む、
ことを特徴とするインデックス誤差を補正したかさ歯車（３１）を生産するための方法。
【請求項７】
各歯又は各歯のすき間において個別の修正を実行する
ことを特徴とする請求項６に記載の方法。
【請求項８】
許容誤差が予め決定され、許容誤差の範囲外である歯又は歯のすき間にのみ個別の修正を行う
ことを特徴とする請求項６に記載の方法。
【請求項９】
かさ歯車のフライス加工法であって、好ましくは、ドライ・フライス加工法である
ことを特徴とする請求項６から８のいずれか１項に記載の方法。
【請求項１０】
研削法であって、好ましくは、仕上げ加工した研削ディスクを用いた方法である
ことを特徴とする請求項６から８のいずれか１項に記載の方法。
【手続補正書】
【提出日】平成22年1月21日(2010.1.21)
【手続補正１】
【補正対象書類名】特許請求の範囲
【補正対象項目名】全文
【補正方法】変更
【補正の内容】
【特許請求の範囲】
【請求項１】
ポリマ基板を準備するステップと、
そのポリマ基板の表面にパターン付きの付加素材層を形成するステップと、
ポリマ基板のうち付加素材層で覆われていない部分の少なくとも一部をエッチングにより除去するステップと、
を有するプリントヘッド製造方法。
【請求項２】
請求項１記載のプリントヘッド製造方法であって、
ポリマ基板の表面に直に素材を堆積させるステップと、
堆積した素材による層をパターニングするステップと、
を実行することによりパターン付きの付加素材層を形成するプリントヘッド製造方法。
【請求項３】
請求項１記載のプリントヘッド製造方法であって、
ポリマ基板の表面のうち上記付加素材層である第１付加素材層が形成されている面を第１面、他方の面を第２面とし、ポリマ基板の第２面上に別の付加素材層である第２付加素材層をパターン付きで形成するステップを有するプリントヘッド製造方法。
【手続補正書】
【提出日】平成22年2月2日(2010.2.2)
【手続補正１】
【補正対象書類名】特許請求の範囲
【補正対象項目名】全文
【補正方法】変更
【補正の内容】
【特許請求の範囲】
【請求項１】
経皮経腔的な処置のためのオクルダーであって、全体的な支持構造物および前記全体的な支持構造物に接続する少なくとも１つのオクルージョンシェルを含み、
細胞外マトリックスの層を生成する条件下で成長する線維芽細胞を含み、前記細胞外マトリックスの層は前記線維芽細胞によって合成され、組み立てられ、前記培養された線維芽細胞は前記合成された細胞外マトリックスの層に含有された状態である、培養された組織構築物と、
組織の成長を促進する物質とを含む、オクルダー。
【請求項２】
全体的な支持構造物と、前記全体的な支持構造物に接続する少なくとも１つのオクルージョンシェルを含み、細胞外マトリックスの層を生成する条件下で成長する線維芽細胞を含み、前記細胞外マトリックスの層は前記線維芽細胞によって合成され、組み立てられ、前記培養された線維芽細胞は前記合成された細胞外マトリックスの層に含有された状態である、培養された組織構築物を含む、患者の心臓の開口を経皮経腔的に閉塞するためのオクルダー。
【請求項３】
前記オクルダーの全体的な支持構造物が、近位の支持構造物と遠位の支持構造物とを含み、前記近位の支持構造物は近位のオクルージョンシェルに接続し、前記遠位の支持構造物は遠位のオクルージョンシェルに接続し、前記オクルダーを少なくとも部分的に心臓の開口内部に位置づけることは、全体的な支持構造物の一部を心臓の開口内部に位置づけ、前記近位の支持構造物と前記遠位の支持構造物とを心臓の開口の異なる側に位置づけることを含む、請求項２に記載のオクルダー。
【請求項４】
前記心臓の開口が卵円孔開存である、請求項２に記載のオクルダー。
【請求項５】
前記心臓の開口が心房性の隔壁の欠陥である、請求項２に記載のオクルダー。
【請求項６】
前記心臓の開口が心室性の隔壁の欠陥である、請求項２に記載のオクルダー。
【請求項７】
線維芽細胞と、線維芽細胞から天然に分泌される内因的に産生された細胞外マトリックス成分とを含む、哺乳動物組織のインビボでの血管新生化を促進するための細胞−マトリックス構築物。
【請求項８】
前記哺乳動物組織は、心臓組織、骨格筋、平滑筋、結合組織または皮膚組織である、請求項７に記載の細胞−マトリックス構築物。
【請求項９】
前記細胞−マトリックス構築物は、天然の細胞付着によって哺乳動物組織に付着される、請求項７に記載の細胞−マトリックス構築物。
【請求項１０】
前記細胞−マトリックス構築物は、付着手段によって哺乳動物組織に付着される、請求項９に記載の細胞−マトリックス構築物。
【請求項１１】
前記付着手段は、縫合糸、生物学的接着剤、合成接着剤、レーザー染料、またはヒドロゲルである、請求項１０に記載の細胞−マトリックス構築物。
【請求項１２】
線維芽細胞と、線維芽細胞から天然に分泌される内因的に産生された細胞外マトリックス成分とを含む、被験体において吻合術の部位の治癒を促進するための細胞−マトリックス構築物。
【請求項１３】
前記細胞−マトリックス構築物は、天然の細胞付着によって前記部位に付着される、請求項１２に記載の細胞−マトリックス構築物。
【請求項１４】
前記細胞−マトリックス構築物は、縫合糸、生物学的接着剤、合成接着剤、レーザー染料、またはヒドロゲルのいずれかによって前記部位に付着される、請求項１２に記載の細胞−マトリックス構築物。